(57)【特許請求の範囲】
【請求項１】
側面と底面に通気性と排水性を確保するための多数の打孔がマトリックス形状で配列されている、食用及び観賞用植物が植栽されている打孔懸垂植木鉢と；
水を収容して、前記打孔懸垂植木鉢の下半部が水に浸れるようにした水槽植木鉢と；
前記水槽植木鉢の底から一定の高さに支持可能に位置して前記打孔懸垂植木鉢と離隔空間を形成し、前記打孔懸垂植木鉢から貫通した根菜類の収穫物（球根）を支持するための据置台と；
前記水槽植木鉢の側面の一定部分に形成されて、前記打孔のうちのいずれか一つと対応可能に貫通された係止孔と；
前記打孔と対応貫通可能な前記係止孔に結合して前記打孔懸垂植木鉢を懸垂位置に固定する高さ調節用係止ピンと；
を含むことを特徴とする、根圏部環境改善のための高さ調節用二重植物栽培管理器。
【請求項２】
前記打孔懸垂植木鉢には、前記食用及び観賞用植物が植栽されている生育用土部材と、前記植物に養液を供給するための肥料パックとが備えられていることを特徴とする、請求項１に記載の根圏部環境改善のための高さ調節用二重植物栽培管理器。
【請求項３】
前記打孔懸垂植木鉢の底面と側面には、前記打孔によって水分吸収部材及び前記生育用土部材の流失を防止するために、植物性オイルと、粘土と滑石と硅藻土と吸着シリカのパウダー及びこれらの混合物で構成される結合体を混合したコーティング部材によって含浸及び被覆されている生育用土流失防止部材が備えられ、前記生育用土流失防止部材には、前記水槽植木鉢の水分を流通させるための流通孔が多数備えられており、前記生育用土流失防止部材の上底には、一定高さで前記水槽植木鉢の水（水分）と接触して当該水（水分）を吸収するための前記水分吸収部材が備えられており、前記水分吸収部材と前記肥料パックとの間には、根分離誘導部材が順に配置されていることを特徴とする、請求項２に記載の根圏部環境改善のための高さ調節用二重植物栽培管理器。
【請求項４】
前記打孔懸垂植木鉢の前記側面に、前記打孔懸垂植木鉢の前記底面に対して垂直方向に沿って配列するように設けられた前記打孔は、前記植物の根圏部に通気性と保湿性を確保するために前記打孔懸垂植木鉢の懸垂高さを調節することを特徴とする、請求項１に記載の根圏部環境改善のための高さ調節用二重植物栽培管理器。
【請求項５】
側面と底面に通気性と排水性を確保するための多数の打孔がマトリックス形状で配列されており、食用及び観賞用植物が植栽されて植栽植物の種類によって前記打孔の大きさが異なる打孔懸垂植木鉢と；
水を収容して、前記打孔懸垂植木鉢の下半部が前記水に浸るようにし、前記植栽植物の種類によって専用据置台が設置可能になるようにした水槽植木鉢と；
前記打孔懸垂植木鉢の底に備えられ、前記水槽植木鉢の水（水分）と接触して当該水（水分）を吸収するための水分吸収部材と；
前記打孔懸垂植木鉢の底及び側面に備えられ、生育用土部材の流失を防止するための生育用土流失防止部材と；
前記水分吸収部材の上に備えられ、前記食用及び観賞用植物が植栽されている前記生育用土部材と；
前記生育用土部材と前記水分吸収部材との間に位置して、前記生育用土部材に水分を供給しながら隔離させるだけでなく養液を供給する肥料パックと；
を含むことを特徴とする、根圏部環境改善のための高さ調節用二重植物栽培管理器。
【請求項６】
前記肥料パックと前記水分吸収部材との間には、前記生育用土部材に植栽された前記植物の根が前記水分吸収部材に向けて浸透した場合、前記水分吸収部材と前記肥料パックを迅速に分離させるために誘導する根分離誘導部材が備えられ、
前記生育用土部材は土嚢部または培地セルに収容されていて、前記水分吸収部材及び前記生育用土部材の流失を防止するために紙類（通常の製紙方式によって大量生産される紙類）またはココナッツピート及びココナッツファイバーマットなどの植物性繊維質構成物などに植物性オイルと、粘土と滑石と硅藻土と吸着シリカのパウダー及びこれらの混合物で構成される結合体を混合したコーティング部材によって含浸及び被覆されている生育用土流失防止部材が備えられ、
前記肥料パックは、前記水分吸収部材と前記生育用土部材との間に位置して、前記生育用土部材に水分を供給しながら隔離させる隔離部材で代替されることを特徴とする、請求項５に記載の根圏部環境改善のための高さ調節用二重植物栽培管理器。
【発明の詳細な説明】
【技術分野】
【０００１】
本発明は、根圏部環境改善のための高さ調節用二重植物栽培管理器に関し、より詳細には植物栽培管理器に植栽された食用（各種包菜(Ｓｓａｍ  Ｖｅｇｅｔａｂｌｅ)、葉菜、根菜）及び観賞用植物の根圏部が肥大しないように根圏部の老朽化した部分を除去して新しい根圏部を形成して生育の活性化による収穫量の増大及び収穫時期の短縮を成すための根圏部環境改善のための高さ調節用二重植物栽培管理器に関する。
【背景技術】
【０００２】
一般に、植物栽培管理器は、水分を間欠的に供給して入れられた用土に植栽された植物に対して、これが生育するための植木鉢と、常時担液状態を維持するために水分吸収部材を底に一定水位に維持されるように敷いて、その上に植物に養液を供給するための肥料パックと、植物を植栽して前記担液された水分によって生育させる生育用土部材を順次配置して長期間水分供給が可能な底面冠水型植物栽培管理器に分けることができる。
【０００３】
ところで、このような底面冠水型植物栽培管理器においては、生育用土部材に植栽された植物の根が肥料パックまたは隔離部材（生育用土部材と水分吸収部材を隔離させるためのもの）を突き抜けて水分吸収部材に活着及び着根されると、これから一定期間が経過した後に植物の生長によって水分吸収部材に前記根が生い茂るようにぎっしり埋まるようになるため、水分吸収部材に収容される水の量が少なくなって頻繁に水を供給しなければならない問題点と、前記根の補償による再生が不可で、ストレスが増加して生育に非常に邪魔になる問題点がある。
【０００４】
さらに、前記のような底面冠水型植物栽培管理器は、収穫すると植物の根が多くなって、枝と葉が少ないと、根と枝の相対的適正比（以下、「ＴＲ率」という）を維持できなくなって、毛根のストレス老朽化による毛根機能が急激に減少するので、正常な生育を不可能にする問題点がある。
【発明の概要】
【発明が解決しようとする課題】
【０００５】
本発明は、前記のような問題点を解決するために創案したもので、植物栽培管理器を水槽植木鉢と打孔懸垂植木鉢とに二重化して、水槽植木鉢から打孔懸垂植木鉢を上側に高さ調節するので、打孔懸垂植木鉢に植栽された食用（各種包菜、葉菜、根菜）及び観賞用植物の根圏部が肥大しないようにするだけでなく、毛根機能を活性化させて、その根圏部の老朽化した部分を除去して新しい根圏部を形成しながら地上部の生育活性化による収穫量の増大及び収穫時期の短縮のための根圏部環境改善のための高さ調節用二重植物栽培管理器を提供するところにその目的がある。
【０００６】
また、本発明は、前記食用及び観賞用植物を収穫して葉と枝が少なくなった場合、均等に調整するＴＲ率に従って、肥大に形成された根の一部、すなわち老朽化した部分を１／２、または、１／３程度除去することができ、該当する根と枝（及び葉）のＴＲ率を均等に確保することができるので、食用及び観賞用植物の生育環境を完全に改善して、植物生育を最大化させて収穫量の増大及び収穫時期の短縮のための根圏部環境改善のための高さ調節用二重植物栽培管理器を提供するところにその目的である。
【０００７】
また、本発明は、水槽植木鉢から打孔懸垂植木鉢を上側に高さ調節するので、収容される水の多量、少量を適切に調節するようにした根圏部環境改善のための高さ調節用二重植物栽培管理器を提供するところにその目的である。
【０００８】
また、本発明は、水槽植木鉢から打孔懸垂植木鉢を上側に高さ調節可能であるので、栽培される植物の種類（包菜類、葉菜類、根菜類、または、観賞用植物）に応じて懸垂高さを適切に調節し、最も適した生育環境を提供できる根圏部環境改善のための高さ調節用二重植物栽培管理器を提供するところにその目的である。
【０００９】
また、本発明は、植栽された植物が根菜類である場合、打孔懸垂植木鉢下側で生長する根菜に安全な生育条件を満たすための据置台を備え、根菜の生産性と商品性を向上させるようにした根圏部環境改善のための高さ調節用二重植物栽培管理器を提供するところにその目的がある。
【課題を解決するための手段】
【００１０】
本発明は、前記目的に応じて、側面と底面に通気性と排水性を確保するための多数の打孔がマトリックス形状で配列されている、食用及び観賞用植物が植栽されている打孔懸垂植木鉢と；水を収容して、前記打孔懸垂植木鉢の下半部が水に浸れるようにした水槽植木鉢と；前記水槽植木鉢の底から一定の高さに支持可能に位置して前記打孔懸垂植木鉢と離隔空間を形成し、前記打孔懸垂植木鉢から貫通した根菜類の収穫物（球根）を支持するための据置台と；前記水槽植木鉢の側面一定部分に形成されて、前記打孔のうちのいずれか一つと対応できるように貫通された前記係止孔と；前記打孔と対応貫通可能な係止孔に結合して前記打孔懸垂植木鉢を懸垂位置に固定する高さ調節用係止ピンと；を含む根圏部環境改善のための高さ調節用二重植物栽培管理器によって達成される。
【００１１】
ここで、前記打孔懸垂植木鉢には前記食用及び観賞用植物が植栽されている生育用土部材と、前記植物に養液を供給するための肥料パックとが備えられていることが好ましい。
【００１２】
そして、前記打孔懸垂植木鉢の底面と側面には、前記打孔によって前記水分吸収部材及び生育用土部材の流失を防止するために紙類（通常の製紙方式によって大量生産される紙類）、またはココナッツピート及びココナッツファイバーマットなどの植物性繊維質構成物などに植物性オイルと、粘土と滑石と硅藻土と吸着シリカのパウダー及びこれらの混合物で構成される結合体を混合したコーティング部材によって含浸及び被覆されている生育用土流失防止部材が備えられ、生育用土流失防止部材には、前記水槽植木鉢の水分を流通させるための流通孔が多数備えられており、前記生育用土流失防止部材の上底には一定高さで前記水槽植木鉢の水（水分）と接触して当該水（水分）を吸収するための水分吸収部材が備えられており、前記水分吸収部材と肥料パックとの間には根分離誘導部材が順に配置されていることが好ましい。
【００１３】
また、前記打孔懸垂植木鉢の垂直な打孔は、前記植物の根圏部に通気性と保湿性を確保するために、打孔懸垂植木鉢の懸垂高さを調節することが好ましい。
【００１４】
一方、本発明は、前記目的の他の分野に応じて、側面と底面に通気性と排水性を確保するための多数の打孔がマトリックス形状で配列されており、食用及び観賞用植物が植栽されている打孔懸垂植木鉢と；水を収容して、前記打孔懸垂植木鉢の下半部が前記水に浸るようにした水槽植木鉢と；前記打孔懸垂植木鉢の底に備えられ、前記水槽植木鉢の水（水分）と接触して当該水（水分）を吸収するための水分吸収部材と；前記水分吸収部材の上に備えられ、前記食用及び観賞用植物が植栽されている生育用土部材と；前記生育用土部材と前記水分吸収部材との間に位置して、前記生育用土部材に水分を供給しながら隔離させるだけでなく養液を供給する肥料パックと；を含む根圏部環境改善のための高さ調節用二重植物栽培管理器によって達成される。
【００１５】
ここで、前記肥料パックと水分吸収部材との間には、生育用土部材に植栽された植物の根が水分吸収部材に向けて浸透した場合、水分吸収部材と肥料パックを速かに分離させるために誘導する根分離誘導部材が備えられ、前記生育用土部材は、土嚢部または培地セルに収容され、前記水分吸収部材及び前記生育用土部材の流失を防止するために紙類（通常の製紙方式によって大量生産される紙類）、またはココナッツピート及びココナッツファイバーマットなどの植物性繊維質構成物などに植物性オイルと、粘土と滑石と硅藻土と吸着シリカのパウダー及びこれらの混合物で構成される結合体を混合したコーティング部材によって含浸及び被覆されている生育用土流失防止部材が備えられ、前記肥料パックは、水分吸収部材と生育用土部材との間に位置して、前記生育用土部材に水分を供給しながら隔離させる隔離部材で代替されることが好ましい。
【発明の効果】
【００１６】
本発明は、植物栽培管理器を水槽植木鉢と打孔懸垂植木鉢で二重化し、水槽植木鉢から打孔懸垂植木鉢を上側に高さ調節するので、打孔懸垂植木鉢に植栽された食用（各種包菜類、葉菜類、根菜類、以下食用という）及び観賞用植物の根圏部が肥大しないようにするだけでなく、毛根機能を活性化するようにして、その根圏部の老朽化した部分を除去して新しい根圏部を形成しながら生育を活性化させることができるため、植物をより長く元気に維持できる効果がある。
【００１７】
また、本発明は、前記食用及び観賞用植物を収穫して葉と枝が少なくなった場合、均等に調整するＴＲ率に応じて肥大に形成された根の一部、すなわち老朽化した部分を１／２、または１／３程度除去でき、該当する根と枝（及び葉）のＴＲ率を均等に確保することができるので、食用及び観賞用植物の品質を向上させるだけでなく生産性を最大化させる効果がある。
【００１８】
また、本発明は、水槽植木鉢から打孔懸垂植木鉢を上側に高さ調節するため、収容される水の多量、少量を適切に調節することから、水供給の回数を減らすことができて人件費を減らすことができるという効果がある。
【００１９】
また、本発明は、植栽された植物が根菜類である場合、打孔懸垂植木鉢下側で生長する根菜に安全な生育条件を満たすための据置台を備えるので、根菜の生産性と商品性を向上させるという効果がある。
【図面の簡単な説明】
【００２０】
【図１】本発明の包菜及び葉菜類栽培環境による根圏部環境改善のための高さ調節用二重植物栽培管理器を示した分解斜視図である。
【図２】図１の断面図である。
【図３】本発明の包菜及び葉菜類栽培環境による打孔懸垂植木鉢の成形を示した図面である。
【図４】本発明の他の実施例であって、根菜類栽培環境による根圏部環境改善のための高さ調節用二重植物栽培管理器を示した分解斜視図である。
【図５】図４の断面図である。
【図６】本発明の根菜類栽培環境による打孔懸垂植木鉢の成形を示した図面である。
【発明を実施するための形態】
【００２１】
以下、添付図面を参照して本発明に係る根圏部環境改善のための高さ調節用二重植物栽培管理器を詳細に説明すると以下の通りである。まず、本発明に添付された図面は、説明の便宜のためのものであって、その形状と相対的な尺度は誇張されたり、省略されたりする。
【００２２】
本発明に係る根圏部環境改善のための高さ調節用二重植物栽培管理器は、図１及び図２に図示されるように、葉菜と包菜類の栽培環境を作るためのものであって、打孔懸垂植木鉢１と、水槽植木鉢３と、係止孔７と、係止ピン１０とで構成されている。
【００２３】
前記打孔懸垂植木鉢１は、図３に示したように、一定の面積を有する打孔板を折り曲げ、裁断してＵ字形の形状で形成されていて、前記打孔板は、葉菜類植物の場合、直径３〜５ｍｍ程度の打孔２が通孔（貫通）可能にマトリックス形状で多数配列されている。前記打孔板により成形した打孔懸垂植木鉢１は、側面と底面に通気性と排水性を確保するための多数の打孔２（葉菜類及び包菜類の根直径と略同じ形状）が、マトリックス形状で配列されていて、食用及び観賞用植物が植栽されている。
【００２４】
前記水槽植木鉢３は、前記植物に水分を供給するために一定量の水が収容し、前記打孔懸垂植木鉢をかみ合うように収容して、その下半部またはその下半部の一部が浸るようにする。前記水槽植木鉢３の側面には、常に一定量の水が収容されるようにオーバーフロー孔（図示せず）が形成されている。そのように前記打孔懸垂植木鉢１が前記水槽植木鉢３に収容されると、貯留された水によって植栽された植物に十分な水分を供給することができるので、植物の生長が活性化される。
【００２５】
前記係止孔７は、前記打孔懸垂植木鉢１を水槽植木鉢３の所定の高さに懸垂させることができるようにするもので、前記水槽植木鉢３の側面の一定部分に貫通していて、前記打孔懸垂植木鉢１に形成された打孔２のうちのいずれか一つと対応可能に形成されている。前記係止孔７と対応する打孔２は、常時打孔懸垂植木鉢１が水槽植木鉢３から徐々に高まるように高さ方向に沿って多数が垂直に配列されている。
【００２６】
前記係止ピン１０は、前記打孔懸垂植木鉢１の高さ調節のためのもので、前記打孔２と対応する貫通可能な係止孔７に結合し、貫通するので、前記打孔懸垂植木鉢１を前記水槽植木鉢３から所望の一定の高さの懸垂位置に固定する。ここで、植栽された食用植物が根菜植物である場合、その植物が育苗状態から中苗状態に成長した場合、前記打孔懸垂植木鉢１を前記水槽植木鉢３内のさらに高い位置に移動させて、根圏部の環境を改善することができるように前記係止ピン１０で固定することができるので、葉菜及び包菜植物を含む食用及び観賞用植物に適した生育環境を提供することができる。
【００２７】
このように、前記打孔懸垂植木鉢１を高さ方向に垂直に懸垂位置に固定させるのは、前記食用及び観賞用植物の根圏部を通気性と保湿性を十分に確保して最適な生育環境に維持し、前記葉菜と包菜類植物の商品性を最大化させるようにするためである。それだけでなく、前記植物を収穫することによって葉と枝が貧弱になると、ＴＲ率によって、それに相応する植物の根はその機能を喪失する。すると、根圏部の環境が急激に悪化して植物の危害になる場合があるので、打孔懸垂植木鉢１を水槽植木鉢３から分離させて打孔懸垂植木鉢１の底下に流失した根を簡単かつ迅速に除去できる状況を誘導する。根が除去されると、ＴＲ率により前記植物は正常な生育過程を経て旺盛な生育活動をすることになり、完全成長まで期間を短縮することができる。
【００２８】
そして、前記打孔懸垂植木鉢１には、前記葉菜と包菜類及び観賞用植物が植栽されている生育用土部材１１と、前記植物に養液を供給するための肥料パック１３とが備えられている。
【００２９】
前記生育用土部材１１は、バーミキュライトとピートモス、混合用土、ココピート、パーライトなどが選択的に使用されたり、特定の混合比率に従って混合されて使用されたり、一定規格の土嚢部または培地セルに収容されて使用されてもよい。
【００３０】
前記根誘導部材１４は、前記肥料パック１３と水分吸収部材１５との間、前記隔離部材（図示せず）と水分吸収部材１５との間にあり、生育用土部材１１に植栽された植物の根が水分吸収部材１５に向けて浸透した場合、水分吸収部材１５と肥料パック１３及び水分吸収部材１５と隔離部材を迅速に分離させるために誘導するものである。
【００３１】
ここで、前記肥料パック１３（または、有機農肥料パック）は、前記生育用土部材１１の下部に位置して、微生物が生存する環境を提供する固形肥料（緩効性肥料）、または有機農堆肥とミネラル（カルシウム５０.８％、リン２９.４％、カリウム６.７％、硫黄５.１％、塩素３.７％、ナトリウム２.９％、マグネシウム１.１％、亜鉛と銅０.３％）鉱石が混合された有機農肥料が充填されている。この有機農肥料は、前記食用及び観賞用植物が挿木繁殖の際には水に浸るが、発根状態の際には浸らず水分がしっとりとしみ込んで微生物（好気性微生物と嫌気性微生物）が生存できる環境になる。特に特定食用及び観賞用植物に限定されず適用される。
【００３２】
そして、前記打孔懸垂植木鉢１の底面と側面には、図１及び図２に図示されないが、前記打孔２による下記水分吸収部材１５及び前記生育用土部材１１の流失を防止するために、植物性オイルと、粘土と滑石と硅藻土と吸着シリカのパウダー及びこれらの混合物で構成される結合体を混合したコーティング部材によって含浸及び被覆されている生育用土流失防止部材が備えられており、前記生育用土流失防止部材には、前記水槽植木鉢の水分を流通させるための流通孔が多数備えられており、前記生育用土流失防止部材の上底には一定の高さで前記水槽植木鉢３の水（水分）と接触して当該水（水分）を吸収するための水分吸収部材（蘭石、日向土のうちいずれか一つ）１５が備えられており、前記水分吸収部材１５と肥料パック１３との間には根分離誘導部材１４が順に配置されている。
【００３３】
ここで、前記コーティング部材は、ペーパーの短所を解決するために前記ペーパーのパルプまたは植物繊維上に浸透して含浸及び被覆されて、一定の乾燥温度を経て硬化されると、パルプまたは植物繊維質を強力に結合して一定の時間における水分による軟化を防止することができる。この成分は、亜麻仁油と豆乳、桐油（流動木油）を含む植物性オイルと、粘土と滑石と硅藻土と吸着シリカのパウダー及びこれらの混合物で構成される群の中から選択される結合体を混合したものである。ここで、前記結合体は、水分を保湿して、生育用土部材に植栽された植物に供給する。これらは、０.００１ｍｍ以下程度の微細メッシュ（または、スクリーン）を通過したパウダーで構成されている。
【００３４】
また、前記コーティング部材は、前記結合体と略同一の機能を有していて、ミネラル酒精による固形分が４０％以上である濃度を有する分解性樹脂組成物（水溶性樹脂）をさらに含み、その植物性オイルは、パルプまたは植物繊維質に浸透して、これらを強力に結合するように５０℃〜７０℃の間の温度で一定の時間乾燥させると、一定の期間の間形態を維持できるように硬化する。ここで、コーティングされる回数や被覆される量に応じて、前記ペーパーの硬化維持時間と環境にやさしいための分解時間を調節することができる。
【００３５】
また、前記コーティング部材の植物性オイルは、前記亜麻仁油、豆乳、桐油の代わりに変性乾油及び潤滑油のような別の有機オイルを代用物として適用してもよい。
【００３６】
一方、本発明の他の実施例に係る根圏部環境改善のための高さ調節用二重植物栽培管理器は、図４及び図５に示したように、根菜類の栽培環境を作るためのもので、打孔懸垂植木鉢１と、水槽植木鉢３と、据置台４と、係止孔７と、係止ピン１０と、生育用土流失防止部材１６と、で構成されている。
【００３７】
前記打孔懸垂植木鉢１は、図６に示したように、一定の面積を有する打孔板を折り曲げ、裁断したＵ字形の形状で形成されていて、前記打孔板は葉菜類とは異なり、根菜類植物の場合には、径１０〜３０ｍｍ以上程度の打孔２が通孔可能にマトリックス形状で多数配列されている。前記打孔板で成形した打孔懸垂植木鉢１は、側面と底面に通気性と排水性を確保するための多数の打孔２（根菜類と同じ大きさで形成）がマトリックス形状で配列されていて、食用及び観賞用植物が植栽されている。
【００３８】
前記水槽植木鉢３は、前記植物に水分を供給するために一定量の水が収容し、前記打孔懸垂植木鉢１がかみ合うように収容されて、その下半部またはその下半部の一部が浸れるようになっている。前記水槽植木鉢３の側面には常に植物体生育に適した一定量の水が収容されるように水溢れ孔（図示せず）及び水位調節バルブ５が多数形成されている。すると、前記打孔懸垂植木鉢１が前記水槽植木鉢３に収容されると、貯留された水によって植栽された植物に十分な水分を供給することができるので、植物の生長が活性化される。
【００３９】
前記据置台４は、前記水槽植木鉢３内の前記打孔懸垂植木鉢１の下側に位置して、前記打孔懸垂植木鉢１に植栽された根菜類植物が生長しながら打孔２からはみ出した根で形成された球根が荷重によって損傷しないように、その球根を支持している。すなわち、前記打孔懸垂植木鉢１は、前記球根の成長に合わせてより高い懸垂位置に移動させるので、その球根の成長を邪魔しないだけでなく一定の大きさで生長することができるように誘導する。
【００４０】
前記係止孔７は、前記打孔懸垂植木鉢１を水槽植木鉢３の所定の高さに懸垂させることができるようにしたもので、前記水槽植木鉢３の側面の一定部分を貫通し、前記打孔懸垂植木鉢１に形成された打孔２のうちのいずれか一つと対応可能に形成されている。前記係止孔７と対応する打孔２は、常時打孔懸垂植木鉢１が水槽植木鉢３から徐々に高まるように高さ方向に沿って多数が垂直で配列されている。
【００４１】
前記係止ピン１０は、前記打孔懸垂植木鉢１の高さ調節のためのもので、前記打孔２と対応貫通可能な係止孔７とに結合及び貫通し、前記打孔懸垂植木鉢１を前記水槽植木鉢３から所望の一定の高さの懸垂位置に固定する。すなわち、植栽された根菜植物が育苗状態から中苗状態に成長した場合、前記打孔懸垂植木鉢１を前記水槽植木鉢３内のさらに高い位置に移動させて根圏部の環境を改善して球根の生長を邪魔せず一定の大きさの商品性を確保することができるように前記係止ピン１０で固定させることができるので、根菜類食用植物及びこれと類似の観賞用植物に適した生育環境を提供することができる。
【００４２】
このように、前記打孔懸垂植木鉢１を高さ方向に垂直に懸垂位置に固定させるのは、前記食用及び観賞用植物の根圏部を通気性と保湿性を十分に確保して最適な生育環境に維持し、前記根菜類植物の商品性を最大化させるようにするためである。それだけでなく、前記植物を収穫することによって葉と枝が貧弱になると、ＴＲ率によって、それに相応する植物の根はその機能を喪失する。すると根圏部の環境が急激に悪化して、植物の危害になる場合があるので、打孔懸垂植木鉢１を水槽植木鉢３から分離させて打孔懸垂植木鉢１の底の下に流失した根を簡単かつ迅速に除去できる状況を誘導する。根が除去されると、ＴＲ率により前記植物は正常な生育過程を経て旺盛な生育活動をすることになって、完全成長まで期間を短縮することができる。
【００４３】
そして、前記打孔懸垂植木鉢１には、前記根菜類及び観賞用植物が植栽されている生育用土部材１１と、前記植物に養液を供給するための肥料パック１３が備えられている。
【００４４】
前記生育用土部材１１は、バーミキュライトとピートモス、混合用土、ココピート、パーライトなどが選択的に使用されたり、特定の混合比率に従って混合して使用されたり、一定規格の土嚢部または培地セルに収容されて使用されてもよい。
【００４５】
前記根誘導部材１４は、前記肥料パック１３と水分吸収部材１５との間、前記隔離部材（図示せず）と水分吸収部材１５との間にあり、生育用土部材１１に植栽された植物の根が水分吸収部材１５に向けて浸透した場合、水分吸収部材１５と肥料パック１３及び水分吸収部材１５と隔離部材を迅速に分離させるために誘導するものである。
【００４６】
ここで、前記肥料パック１３（または、有機農肥料パック）は、前記生育用土部材１１の下部に位置して、微生物が生存する環境を提供する固形肥料（緩効性肥料）または有機農堆肥とミネラル（カルシウム５０.８％、リン２９.４％、カリウム６.７％、硫黄５.１％、塩素３.７％、ナトリウム２.９％、マグネシウム１.１％、亜鉛と銅０.３％）鉱石が混合された有機農肥料が充填されている。この有機農肥料は、前記食用及び観賞用植物が挿木繁殖の際に水に浸るが、発根状態の際には浸らず水分がしっとりとしみ込んで微生物（好気性微生物と嫌気性微生物）が生存できる環境になる。特に特定食用及び観賞用植物に限定されず適用される。
【００４７】
前記打孔懸垂植木鉢１の底面と側面には、前記打孔２によって下記水分吸収部材１５及び前記生育用土部材１１の流失を防止するために紙類（通常の製紙方式によって大量生産される紙類）またはココナッツピート及びココナッツファイバーマットなどの植物性繊維質構成物などに植物性オイルと、粘土と滑石と硅藻土と吸着シリカのパウダー及びこれらの混合物で構成される結合体を混合したコーティング部材によって含浸及び被覆されている生育用土流失防止部材１６が備えられており、前記生育用土流失防止部材１６には、前記水槽植木鉢の水分を流通させるための流通孔が多数備えられており、前記生育用土流失防止部材１６の上底には一定高さで前記水槽植木鉢３の水（水分）と接触し当該水（水分）を吸収するための水分吸収部材（蘭石、日向土のうちいずれか一つ）１５が備えられており、前記水分吸収部材１５と肥料パック１３との間には根分離誘導部材１４が配置されている。すなわち、前記生育用土流失防止部材１６は、前記流通孔を通じて前記根菜類植物の根が貫通して、貫通したその根が少しずつ生長してその大きさが増加しても前記生育用土部材１１の流失を防止することができる。
【００４８】
ここで、前記コーティング部材は、紙類の短所を解決するために前記紙類のパルプまたは植物繊維（ココピートまたはココナッツファイバーマットなど）上に浸透して含浸及び被覆されて、一定の乾燥温度を経て硬化されると、パルプまたは植物繊維質を強力に結合して一定時間の水分による軟化を防止することができる。この成分は、亜麻仁油と豆乳、桐油（流動木油）を含む植物性オイルと、粘土と滑石硅藻土と吸着シリカのパウダー及びこれらの混合物で構成される群の中から選択される結合体を混合したものである。ここで、前記結合体は、水分を保湿して、生育用土部材に植栽された植物に供給する。これらは０.００１ｍｍ以下程度の微細メッシュ（または、スクリーン）を通過したパウダーで構成されている。
【００４９】
また、前記コーティング部材は、前記結合体と略同一の機能を有していて、ミネラル酒精による固形分が４０％以上である濃度を有する分解性樹脂組成物（水溶性樹脂）をさらに含み、その植物性オイルは、パルプまたは植物繊維質に浸透してこれらを強力に結合するように５０℃〜７０℃の間の温度で一定時間乾燥させると、一定期間の間形態を維持できるように硬化する。ここで、コーティングされる回数や被覆される量に応じて、前記ペーパーの硬化維持時間と環境にやさしいための分解時間を調節することができる。
【００５０】
また、前記コーティング部材の植物性オイルは、前記亜麻仁油、豆乳、桐油の代わりに変性乾油及び潤滑油のような別の有機オイルを代用物として適用してもよい。
【００５１】
上述したような本発明に係る根圏部環境改善のための高さ調節用二重植物栽培管理器は、水槽植木鉢３の底に位置した据置台４、前記据置台４と離隔した上側に位置した打孔懸垂植木鉢１の底から生育用土流失防止部材１６、水分吸収部材１５、根分離誘導部材１４、隔離部材（図示せず）または、肥料パック１３、生育用土部材１１が順に収容されていて、前記生育用土部材１１に食用及び観賞用植物が植栽される。
【００５２】
ここで、前記食用植物は、食用の包菜類及び葉菜類と根菜類を含む。例えば、包菜及び葉菜類の場合、前記打孔懸垂植木鉢１に生育用土流失防止部材１６と、前記肥料パック１３と生育用土部材１１だけを備える十分な用土で植栽環境を改善することができ、根菜類（ジャガイモ、サツマイモ、高麗人参など）の場合、前記水槽植木鉢３の高さを高めて水槽植木鉢の底面に根菜類専用据置台４により収穫部である根圏部の空間を確保することによって、植栽された前記根菜植物の完全な生長環境を提供してもよい。
【００５３】
しかし、前記食用及び観賞用植物は、前記生育用土部材１１にその根を着根して生育を始めることになり、完全生長をすると、その根は隔離部材または肥料パック１３を貫通して前記水分吸収部材１５を貫通して前記生育用土流失防止部材１６と前記打孔懸垂植木鉢１の打孔２を貫通して出てくる。ここで、前記根はＴＲ率に相応するだけできる。
【００５４】
完全生長された前記食用及び観賞用植物を商品として販売するために収穫すると、ＴＲ率が合わなくなり老朽化された根が毛根機能を正常化できないので、前記打孔懸垂植木鉢１を前記水槽植木鉢３から分離して、生育用土流失防止部材１６と打孔２を貫通して出てきた根を２／３、１／２、１／３だけ除去してＴＲ率を調整した後、水槽植木鉢３に収容する。
【００５５】
すると、打孔懸垂植木鉢１に植栽された植物は、根圏部の改善された環境により老朽化された根が新生根に誘導されて、完全生長をすることになり、元気かつ速い生長を誘導することができる。
【００５６】
ここで、植栽された食用植物が根菜類植物である場合、その植物が育苗状態から中苗状態に成長した場合、前記打孔懸垂植木鉢１を前記水槽植木鉢からさらに高い位置に移動させて根圏部の環境を改善することができるように前記係止ピン１０で固定させることができるため、根菜類植物に適した環境を提供することができる。
【図１】
0006271743.tif 000002
【図２】
0006271743.tif 000003
【図３】
0006271743.tif 000004
【図４】
0006271743.tif 000005
【図５】
0006271743.tif 000006
【図６】
0006271743.tif 000007